(57)【特許請求の範囲】
【請求項１】
制御装置内に設置された制御素子によって作動が制御される遊技機であって、
前記制御素子の外面に、識別情報表示部を設け、
かつ、識別情報表示部に、合成樹脂シートにアンカーコート層を介して粘着層を積層した部分とアンカーコート層を介さないで粘着層を積層した部分とを備え、前記合成樹脂シートの表面に識別情報が表示された識別シールを貼着するとともに、その識別シールと識別情報表示部とに跨るように、識別シール及び識別情報表示部に対して明度の差が大きい所定の文字あるいは記号であって、且つ該文字あるいは記号自体若しくはそれと前記識別情報表示部との境界線が閉曲線を為すものを、前記識別シールを焼き切るように印字することによって表示し、
前記識別シールを剥離する際に、前記アンカーコート層を介することなく積層された粘着層、及び前記所定の文字あるいは記号の閉曲線の内側が残存するようにしたことを特徴とする遊技機。
【発明の詳細な説明】
【０００１】
【発明の属する技術分野】
本発明は、パチンコ機、スロットマシーン等の遊技機に関するものである。
【０００２】
【従来の技術】
遊技機の一種であるパチンコ機には、ＲＯＭやＣＰＵ等の種々の制御素子を内蔵した制御装置が設けられている。かかる制御素子は、パチンコ機の作動内容を制御するものであるため、遊技者にとって都合良く作動するように、不正に取り替えられることがある。このため、制御素子には、他の制御素子と容易に判別できるように、機種名、製造者名等を示した識別情報が表示される。また、制御素子は、一般的に小型で複雑な形状を有しているため、識別情報の表示をする場合には、識別情報が印刷された識別シールを貼着する方法が採用される。
【０００３】
【発明が解決しようとする課題】
しかしながら、上記の如く制御素子に識別シールが貼着された従来のパチンコ機は、全ての識別情報が識別シール上に印刷されているため、正規の制御素子から正規のシールを剥がして、不正な制御素子に貼着した後に制御素子を取り替えた場合には、不正の事態を容易に発見することができず、不正遊技者にとって都合良く作動する事態を防止することができない。また、識別情報は識別シール上にしか表示されないため、識別シールが偽造されやすく、従って、剥離後再度貼着された場合と同様に、不正の事態を容易に発見することができず、不正遊技者にとって都合良く作動する事態を防止することができない。
【０００４】
本発明の目的は、上記従来のパチンコ機の問題点を解消し、制御素子を不正に取り替える目的で、識別シールが剥がされた場合、あるいは識別シールが偽造された場合には、その事態を容易に発見することができ、不正遊技者にとって都合良く作動する事態を未然に防止することができる不正行為防止効果の高い遊技機を提供することにある。
【０００５】
【課題を解決するための手段】
かかる本発明の構成は、制御装置内に設置された制御素子によって作動が制御される遊技機であって、前記制御素子の外面に、識別情報表示部を設け、かつ、識別情報表示部に、合成樹脂シートにアンカーコート層を介して粘着層を積層した部分とアンカーコート層を介さないで粘着層を積層した部分とを備え、前記合成樹脂シートの表面に識別情報が表示された識別シールを貼着するとともに、その識別シールと識別情報表示部とに跨るように、識別シール及び識別情報表示部に対して明度の差が大きい所定の文字あるいは記号であって、且つ該文字あるいは記号自体若しくはそれと前記識別情報表示部との境界線が閉曲線を為すものを、前記識別シールを焼き切るように印字することによって表示し、前記識別シールを剥離する際に、前記アンカーコート層を介することなく積層された粘着層、及び前記所定の文字あるいは記号の閉曲線の内側が残存するようにしたことにある。
【０００９】
【発明の実施の形態】
以下、本発明の遊技機の一実施形態について、図面に基づいて詳細に説明する。
【００１０】
図１は、遊技機の一種であるパチンコ機の裏面を示したものであり、パチンコ機１は、周囲が機枠１５で覆われている。そして、その機枠１５の内部に、機構板２が設置されており、機構板２の中央よりやや下側に、制御装置３が取り付けられている。制御装置３は、支持板４を機構板２の裏面に当接させた状態で、機構板２に対して着脱自在に取り付けられている。なお、機構板２は、機枠１５に開閉自在に蝶着された前面枠１９に対し開閉自在に蝶着されており（図８参照）、制御装置３の他に、遊技球タンク５、遊技球払出装置６、裏カバー７等が取り付けられている。また、前面枠１９の前面には、前面扉２０が開閉自在に蝶着されている（図８参照）。
【００１１】
図２は、制御装置３を分解して示したものであり、制御装置３は、ＲＯＭ８やＣＰＵ９等の種々の制御素子を設置した基板１０と、基板１０の裏側に取り付けられた支持板４と、基板１０を覆うように支持板４に螺着された合成樹脂製で全体が透明なカバー部材１１等によって形成されている。なお、カバー部材１１は、箱形に形成されており、多数の冷却孔１２、１２・・が穿設されている。また、中央の下側には表示部１３が設けられており、パチンコ機メーカー名等が記載されている。
【００１２】
一方、図３に示すように、基板１０上に設置されたＲＯＭ８の表面には、識別情報表示部Ｃが設けられている。識別情報表示部Ｃは、黒色とされたＲＯＭ８の表面が白色に部分塗装されて周囲と区画されることによって設けられている。そして、その識別情報表示部Ｃには、識別シール１４が貼着されている。
【００１３】
識別シール１４は、剥離する際に一部が分離して接着面に残存する、いわゆる分離タイプのものである。図４は、識別シールの断面を拡大して示したものであり、識別シール１４は、透明な合成樹脂シート１６に透明なアンカーコート層１８を介して白色の粘着層１７が積層されることによって形成されている。したがって、表面側から見ると地が白色を呈している。なお、アンカーコート層１８は、上から見ると、左右両端の部分が「開封」の文字状に欠損した状態になっている（図３参照）。また、粘着層１７は、合成樹脂シート１６よりもＲＯＭ８の表面と強固に接着するように、かつＲＯＭ８の表面よりもアンカーコート層１８と強固に接着するように調整されている。
【００１４】
また、識別シール１４の表面には、機種名、メーカー、シリアルナンバー（すなわち、機台固有の連続したナンバー）、製造年月日等を示すバーコード、文字列からなる識別情報Ｃ２、Ｃ３が黒色に印字されている。なお、識別情報Ｃ２、Ｃ３は、レーザ光（赤外線ＣＯ2 レーザ）を利用した印字手段（たとえば、サンクス株式会社製レーザマーカ）によって印字されたものである。この印字手段によって、合成樹脂シート１６が、厚さ方向において略全部を焼き切られている。
【００１５】
さらに、識別シールの上下の端縁には、識別シール１４とＲＯＭ８の表面とに亘って、メーカー、シリアルナンバー、製造年月日を示す文字列からなる識別情報Ｃ１、Ｃ４が黒色に印字されている。なお、識別情報Ｃ１、Ｃ４は、識別シール１４を貼着した後に、識別情報Ｃ２、Ｃ３と同様に、レーザ光を利用した印字手段によって印字されたものである。
【００１６】
上記識別シール１４は、アンカーコート層１８の欠損部分では、粘着層１７−合成樹脂シート１６間の接着力よりも粘着層１７−ＲＯＭ８表面間の接着力の方が高いため、剥離された場合に、図５の如く、粘着層の内のアンカーコート層１８の欠損部分に相当した部分が、ＲＯＭ８の表面に残存する（したがって、識別シール１４を剥離した後には、図６の如く、ＲＯＭ８表面の左右両端に、粘着層１７によって形成された「開封」の文字が露呈する）。このため、剥離後の識別シール１４は、左右両端の部分のみ「開封」の文字状に透明に打ち抜かれたような状態になる。また、識別情報Ｃ４のコード「０」等のように、コードそれ自体若しくはコードと識別シール１４境界線が閉曲線を為している場合、識別シール１４が識別情報の印字時に焼き切られているので、閉曲線の内側の部分が剥離せず残存して残存部１４ａとなる。
【００１７】
パチンコ機１は、上記の如く、ＲＯＭ８の表面に、識別シール１４が貼着されているとともに、その識別シール１４とＲＯＭ８の表面とに跨るように識別情報Ｃ１、Ｃ４が表示されている。したがって、ＲＯＭ８を不正に取り替えた後に、その不正行為を隠蔽するためには、剥離された識別シール１４上に表示された識別情報Ｃ１の下半分及び識別情報Ｃ４の上半分と符合するように、不正取り替えられた偽造ＲＯＭの表面に、識別情報Ｃ１の上半分及び識別情報Ｃ４の下半分とを表示し、さらに残存部１４ａを形成しなければならず、かかる不正行為の隠蔽が、きわめて困難である。また、識別シール１４が、剥離する際に一部が残存する分離タイプのものであり、剥離すると一部がＲＯＭ８の表面に残存するものであるため、正規のＲＯＭ８から剥がした識別シール１４を再度不正に利用することができない。したがって、パチンコ機１によれば、ＲＯＭ８の不正取り替えをきわめて効果的に防止することができる。
【００１８】
さらに、識別情報表示部Ｃが白色に形成されており、かつ、識別情報Ｃ１〜Ｃ４が黒色に印刷されているため、目視によって、非常に容易に確認することができる。また、識別シール１４が、白色地に黒色のバーコード（識別情報Ｃ２）を印刷したものであるので、コードリーダによって、非常に容易にバーコードを読みとることができる。したがって、識別情報のチェックが非常に容易である。
【００１９】
なお、本発明の遊技機は、上記実施形態の態様に何ら限定されるものではなく、制御装置の形状、構造、制御装置の取付位置、取付方法、制御素子の種類、形状、構造、識別シールの態様、識別情報の表示方法等の構成を、本発明の趣旨を逸脱しない範囲内で適宜変更することができる。
【００２０】
たとえば、上記実施形態においては、ＲＯＭに識別シールを貼着した場合について説明したが、識別シールを貼着する制御素子はＲＯＭに限定されるものではなく、他の制御素子であっても良い。
【００２１】
また、識別シール及び制御素子に識別情報を印字する方法としては、レーザ光を利用した印字手段によって印字する方法の他に、シルク印刷によって印刷する方法、インクジェット装置によって印刷する方法等を採用することもできる。なお、レーザ光を利用した印字手段によって印字する方法、シルク印刷によって印刷する方法を採用した場合には、遊技機の制御素子に、他の遊技機の制御素子と異なるシリアルナンバーを表示することができる、というメリットがある。また、レーザ光を利用して印字する方法、インクジェット装置によって印刷する方法によれば、識別シール、制御素子の材質によらず極めて容易に、そして明瞭且つ正確に、消えにくいコードを付すことができる。
【００２２】
さらに、制御素子と基板、あるいは基板と制御装置のカバー部材、あるいはカバー部材と機構板とに跨るように封印シールを貼着することも可能であるし、制御装置を、機構板から不正に取り外された場合に何らかの痕跡が残るような構造を有するもの（たとえば、カバー部材に、機構板に係合可能で脱着不能であり、かつ切断容易な係合ピンを一体的に設けたもの）に変更することも可能である。かかる構成を採用した場合には、遊技機の不正行為防止性能が一段と向上する。
【００２３】
一方、レーザ光を利用した印字手段によって識別情報を印字する場合には、赤外線ＣＯ2 レーザを利用した印字手段以外に、他の種類のレーザ光を利用した印字手段を使用することも可能である。なお、パチンコ機に設置される制御素子のパッケージは、通常、硬質の合成樹脂によって形成されるため、赤外線ＣＯ2 レーザを利用した印字手段によって識別情報を印字した場合には、各文字が明瞭な輪郭を有するものとなる、というメリットがある。
【００２４】
また、制御素子に表示する識別情報は、２次元コード（たとえば、ＱＲ（クイックレスポンス）コード）、目視不可能なフォトルミネッセンス・インクで印刷されるインビジブルコード（インビジブルバーコード、インビジブルＱＲコード）等のコードによる表示のみとしたり、文字表示のみとしたりすることも可能である。なお、２次元コードによれば、同一内容を文字よりも小さなスペースで表示することができるので、識別情報をコード表示に変更した場合には、制御素子の限られたスペースに多くの情報を表示することができる、というメリットがある。
【００２５】
なお、遊技機の識別情報の管理システムとしては、たとえば、次のようなものが好適である。すなわち、基板メーカーは、ＲＯＭを基板に搭載すると、基板メーカー名、製造年月日、機種名、ＲＯＭシリアルナンバー等の識別情報を示すコードが付されたＲＯＭシールを、コードラベルプリンタによって発行する。そして、そのＲＯＭシールをＲＯＭ表面に貼着した後に、基板を遊技機メーカーに納品する。遊技機メーカーは、遊技機を組み立てた後、その遊技機の作動状態を検査ラインによってチェックし、チェック完了後に、ＲＯＭのコードをコードリーダによって読み取り、しかる後に、レーザマーカによって、ＲＯＭ表面に遊技機毎のシリアルナンバーを印字する。続いて、基板を収納するカバー部材に、組み立て年月日、機種名、チェック後読み取った基板シリアルナンバー、新基板表示、納入先を示すコードを付す。そして、コードを付した後、基板、カバー部材等を組み立てて、制御装置の製造を完成させる。製造された制御装置は、遊技機の裏カバーに組み付けられ、その接合面には、双方に跨るように、レーザマーカによって、遊技機シリアルナンバーを印字する。そして、ＲＯＭ及び制御装置のコード、シリアルナンバー等の識別情報をホストコンピュータに入力した後に、遊技機をパチンコホール等に出荷する。一方、遊技機が納入されたパチンコホール等では、ＲＯＭのコードをコードリーダで読み取り、基板のカバー部材に付されたコードをコードリーダで読み取り、しかる後に、それらのコードが示す情報と遊技機のシリアルナンバーとを電話回線にて遊技機メーカーのホストコンピュータに送信し、ホストコンピュータに保存されている識別情報と照合することによって、遊技機の制御装置のチェックを実行する。かかる識別情報管理システムを導入することによって、非常に容易に遊技機の識別情報のチェックを行うことができる。
【００２６】
加えて、識別シールと制御素子に跨る識別情報は、識別情報を表さない単なる記号（マーク）であっても良い。この場合、不正行為防止性能は若干劣ることとなるが、識別シール貼着後の印刷が簡易に行えるメリットがある。そして、識別シールの上に識別情報全体を覆う透明な保護シールを貼着することもできる。保護シールを貼着するならば、識別情報がさらに消えにくくなり、識別シールの不正利用は一層行いにくくなる、というメリットがある。また、識別情報の印字順序は上記実施形態に限定されず、無地の識別シールを貼着後、一度に全ての識別情報を印字する等、適宜変更できる。さらに、識別シールの残存部の形成手段は、アンカーコートを利用したものに限らず、残存部に切込線を施しておくもの等を採用することも可能である。
【００２７】
以上に加えて、識別情報が黒色、識別情報表示部が白色である必要はなく、その逆であっても、明度の差が大きい他の色の組み合わせであっても良い。また、制御素子に跨る識別情報の印字位置は、上記実施形態に何ら限定されることはなく、大部分を制御素子に位置させるなど適宜変更できる。一方、識別情報表示部の内、識別シール貼着部は彩色しない、あるいは他の色に彩色することも可能であるが、この場合は、一層再貼着が難易となり、不正利用の発見、防止に役立つというメリットがある。さらに、識別情報表示部の大きさ、形状は、たとえば制御素子のカバー全体を白色に塗装するあるいは白色の材料を用いて成形する等適宜変更可能であり、そして塗装（印刷）方法も識別情報の場合と同様にさまざまに変更可能である。
【００２８】
また、識別情報は、制御素子表面に、互いの色の明度の差が大きくなるように直接付すこともできる。たとえば、図７に示すように、ＲＯＭ８の表面の一部である白色の識別情報表示部Ｃに黒色の識別情報Ｃ１〜Ｃ４を付すこともできる。かかる構成を採用した場合であっても、濃度差の大きい識別シール同様に、識別情報のチェックが非常に容易なものとなる。
【００２９】
なお、上記実施形態においては、本発明の遊技機がパチンコ機である場合の一例について説明したが、本発明の遊技機は、スロットマシーンやテレビゲーム等のパチンコ機以外の遊技機であっても良い。
【００３０】
【発明の効果】
本発明の遊技機は、制御素子の外面の識別情報表示部に、合成樹脂シートにアンカーコート層を介して粘着層を積層した部分とアンカーコート層を介さないで粘着層を積層した部分とを備え、合成樹脂シートの表面に識別情報が表示された識別シールが貼着されているとともに、その識別シールと識別情報表示部とに跨るように、識別シール及び識別情報表示部に対して明度の差が大きい所定の文字あるいは記号であって、且つ該文字あるいは記号自体若しくはそれと識別情報表示部との境界線が閉曲線を為すものを、識別シールを焼き切るように印字することによって表示し、識別シールを剥離する際に、アンカーコート層を介することなく積層された粘着層、及び所定の文字あるいは記号の閉曲線の内側が残存するようにしている。そのため、制御素子を不正に取り替えた後に、その不正行為を隠蔽するためには、剥離された識別シール上に表示された所定の文字あるいは記号の一部と符合するように、不正に取り替えられた偽造制御素子の表面に、所定の文字あるいは記号の残りを表示し且つ切り欠かれ形成された残存部を貼着しなければならないし、正規の制御素子から剥がした識別シールを再度不正に利用することもできず、かかる不正行為の隠蔽がきわめて困難である。したがって、本発明の遊技機によれば、制御素子の不正取り替えをきわめて効果的に防止することができるし、識別情報のチェックが非常に容易である。
【図面の簡単な説明】
【図１】パチンコ機の裏面を示す説明図である。
【図２】制御装置を分解して示す説明図である。
【図３】ＲＯＭの表面を示す説明図である。
【図４】識別シールの断面を示す説明図である。
【図５】剥離時の識別シールの断面を示す説明図である。
【図６】識別シール剥離時のＲＯＭの表面を示す説明図である。
【図７】識別情報を直接印字したＲＯＭの表面を示す説明図である。
【図８】パチンコ機を示す説明図である。
【符号の説明】
１・・パチンコ機、２・・機構板、３・・制御装置、４・・支持板、５・・遊技球タンク、６・・遊技球払出装置、７・・裏カバー、８・・ＲＯＭ、９・・ＣＰＵ、１０・・基板、１１・・カバー部材、１２・・冷却孔、１３・・表示部、１４・・識別シール、１４ａ・・残存部、１５・・機枠、１６・・合成樹脂シート、１７・・粘着層、１８・・アンカーコート層、１９・・前面枠、２０・・前面扉、Ｃ・・識別情報表示部、Ｃ１、Ｃ２、Ｃ３、Ｃ４・・識別情報。
【図１】
0003731780.tif 000002
【図２】
0003731780.tif 000003
【図３】
0003731780.tif 000004
【図４】
0003731780.tif 000005
【図５】
0003731780.tif 000006
【図６】
0003731780.tif 000007
【図７】
0003731780.tif 000008
【図８】
0003731780.tif 000009